(57)【要約】【課題】屋内にマイナスイオンを供給し、しかも、冬期には屋内を効果的に加湿しながら換気することができる屋内強制換気システムを提供する。【解決手段】レナード方式によるマイナスイオン発生手段２が備えられると共に、屋内から屋外に排出される空気と、屋外から屋内に供給される空気とを熱交換させる熱交換素子２が備えられ、マイナスイオン発生手段２で発生させたマイナスイオンが、熱交換素子３と屋内給気口１９とを結ぶ給気通路５に供給されるようになされている。【選択図】　　　図１
2004116970.tif 000002
【特許請求の範囲】
【請求項１】
屋内から屋外への排気と、屋外から屋内への給気とがファンの駆動によって行われるようになされた屋内強制換気システムにおいて、
レナード方式によるマイナスイオン発生手段が備えられると共に、
屋内から屋外に排出される空気と、屋外から屋内に供給される空気とを熱交換させる熱交換素子が備えられ、
マイナスイオン発生手段で発生させたマイナスイオンが、熱交換素子と屋内給気口とを結ぶ給気通路に供給されるようになされていることを特徴とするマイナスイオンを供給する屋内強制換気システム。
【請求項２】
屋内給気口が複数備えられると共に、熱交換素子からの給気通路が途中で分岐し、各分岐通路が各屋内給気口と連通しており、かつ、
マイナスイオン発生手段で発生させたマイナスイオンが、熱交換素子と前記分岐部との間の給気通路に供給されて、各分岐通路に供給されるようになされている請求項１に記載のマイナスイオンを供給する屋内強制換気システム。
【発明の詳細な説明】
【０００１】
【発明の属する技術分野】
本発明は、マイナスイオンを供給する屋内強制換気システムに関する。
【０００２】
【従来の技術及び課題】
高断熱で高気密の建物が供給されるようになっているなかで、屋内を常時強制換気することが行われているが、冬期は換気によって屋内が過乾燥状態になってしまいやすいという問題がある。
【０００３】
本発明は、かかる背景において、屋内にマイナスイオンを供給し、しかも、冬期には屋内を効果的に加湿しながら換気することができる屋内強制換気システムを提供することを課題とする。
【０００４】
【課題を解決するための手段】
上記の課題は、屋内から屋外への排気と、屋外から屋内への給気とがファンの駆動によって行われるようになされた屋内強制換気システムにおいて、
レナード方式によるマイナスイオン発生手段が備えられると共に、
屋内から屋外に排出される空気と、屋外から屋内に供給される空気とを熱交換させる熱交換素子が備えられ、
マイナスイオン発生手段で発生させたマイナスイオンが、熱交換素子と屋内給気口とを結ぶ給気通路に供給されるようになされていることを特徴とするマイナスイオンを供給する屋内強制換気システムによって解決される。
【０００５】
この強制換気システムでは、屋内を換気しながら、屋内にマイナスイオンを供給することができる。また、マイナスイオン発生手段はレナード方式によるものであるから、マイナスイオンと共に微細なミストないしは湿分も同時発生し、このミストないしは湿分がマイナスイオンとともに屋内に供給され、冬期暖房時において屋内が過乾燥状態となるのが緩和される。
【０００６】
しかし、本発明の換気システムは、それだけのものではない。屋内から屋外に排出される空気と屋外から屋内に供給される空気とを熱交換させる熱交換素子が備えられ、かつ、マイナスイオン発生手段で発生させたマイナスイオンが、熱交換素子と屋内給気口とを結ぶ給気通路に供給されるようになされている。
【０００７】
これにより、マイナスイオンの発生によって同時につくられたミストないしは湿分が、冬期暖房時には、熱交換素子の通過によって加温された外気に供給され、それゆえ、この加温外気の湿度が上記のミストないしは湿分によって効果的に高められ、屋内を効果的に加湿していくことができるのである。もちろん、換気によって屋内を寒くしてしまうこともない。
【０００８】
また、この換気システムでは、夏期梅雨期の除湿冷房時においても、マイナスイオンの発生によって同時につくられた湿気が、熱交換素子の通過によって冷やされた外気に供給され、それゆえ、この外気が上記の湿分を吸収しにくくなり、そのため、屋内の湿度が上昇するのを効果的に抑えることができる。
【０００９】
上記の強制換気システムにおいて、屋内給気口が複数備えられると共に、熱交換素子からの給気通路が途中で分岐し、各分岐通路が各屋内給気口と連通しており、かつ、
マイナスイオン発生手段で発生させたマイナスイオンが、熱交換素子と前記分岐部との間の給気通路に供給されて、各分岐通路に供給されるようになされているとよい。
【００１０】
この換気システムによれば、マイナスイオン発生手段で発生したマイナスイオンを、簡素なシステム構成で、屋内に広く分配することができると共に、冬期には広い屋内を効果的に加湿することができ、また、夏期には広い屋内において湿度の上昇を効果的に抑えることができる。
【００１１】
【発明の実施の形態】
次に、本発明の実施形態を図面に基づいて説明する。
【００１２】
図１に示す第１実施形態の屋内強制換気システムにおいて、１はセントラル換気ユニット、２はマイナスイオン発生手段としてのマイナスイオン発生装置である。
【００１３】
セントラル換気ユニット１は、全館常時換気用のもので、これには、図示しないファンと、屋内から屋外に排出される空気（ＲＡ−＞ＥＡ）と、屋外から屋内に供給される空気（ＯＡ−＞ＳＡ）とを熱交換させる熱交換素子３とが備えられ、内部には、そのための空気通路４，５，６，７と、ポートＲＡ，ＥＡ，ＯＡ，ＳＡが備えられている。ＲＡポートはダクト８によってトイレ室９の屋内排気口１０に接続され、ＥＡポートとＯＡポートはそれぞれダクト１１，１２によって屋外排気口１３、屋外給気口１４に接続されている。そして、ＳＡポートに接続されたダクト１５は、途中で複数の分岐ダクト１５ａ…に分岐し、各分岐ダクト１５ａ…がそれぞれ、居間１６、寝室１７、各居室１８…の屋内給気口１９…に接続されている。換気ユニット１内の通路５と、親ダクト１５ｂ及び分岐ダクト１５ａ…内の通路とが、本発明における、熱交換素子３と屋内給気口１９…とを結ぶ給気通路を形成している。
【００１４】
マイナスイオン発生装置２は、水を微細水に分裂させる際に空気をイオン化する、いわゆるレナード方式の発生装置からなっている。本実施形態では、このマイナスイオン発生装置２が二機備えられ、各発生装置２，２で発生したマイナスイオンは、発生装置２，２内の図示しないファン等によって合流部２０で合流し、ダクト２１で、熱交換素子３と屋内給気口１９…とを結ぶ給気通路である換気ユニット１内の通路５に送り込まれるようになされている。
【００１５】
上記の強制換気システムでは、換気ユニット１のファンを駆動すると共に、マイナスイオン発生装置２，２を作動させると、屋内から屋外に排出される空気（ＲＡ−＞ＥＡ）と、屋外から屋内に供給される空気（ＯＡ−＞ＳＡ）とが熱交換素子３で熱交換し、屋内に供給される空気は、居間１６、寝室１７、各居室１８…に供給される。そして、マイナスイオンは、換気ユニット１の通路５内に供給され、ＳＡポート、親ダクト１５ｂ、分岐ダクト１５ａ…を通じて、居間１６、寝室１７、各居室１８…に供給される。
【００１６】
この強制換気システムでは、冬期の暖房時には、マイナスイオン発生装置２，２でマイナスイオンを発生させるのと同時につくられたミストないしは湿分が、熱交換素子３の通過によって加温された外気に供給され、それゆえ、この加温外気の湿度が上記のミストないしは湿分によって効果的に高められ、屋内を効果的に加湿していくことができる。
【００１７】
また、夏期梅雨期には、マイナスイオン発生装置２，２でマイナスイオンを発生させるのと同時につくられたミストないしは湿分が、熱交換素子３の通過によって冷やされた外気に供給され、それゆえ、この外気が上記のミストや湿分を吸収しにくくなり、そのため、屋内の湿度上昇が効果的に抑えることができる。
【００１８】
更に、換気システムでは、マイナスイオン発生手段で発生させたマイナスイオンが、熱交換素子３と分岐ダクト１５ａ…の分岐部との間の給気通路であるユニット１内空気通路５を通じて親ダクト１５ｂ内の通路に供給され、各分岐ダクト１５ａ…に分配されて供給されるようになされているから、マイナスイオン発生装置２，２で発生したマイナスイオンを、簡素なシステム構成で、各室１６，１７，１８…に広く分配することができると共に、冬期には各室１６，１７，１８…を効果的に加湿することができ、また、夏期には各室１６，１７，１８…において湿度の上昇を効果的に抑えることができる。
【００１９】
図２（イ）に示す第２実施形態の強制換気システムは、マイナスイオン発生装置２からのダクト２１が、換気ユニット１内の通路５内にではなく、換気ユニット１のＳＡポートに接続された分岐前の親ダクト１５ｂと接続されている。この親ダクト１５ｂ内の通路も、熱交換素子３と屋内給気口１９…とを結ぶ給気通路を構成するものであり、上記の第１実施形態と同様の作用効果が奏される。
【００２０】
接続は、図２（ロ−１）に示すように、給気の流れの中心部にマイナスイオンが供給されるようにするのもよいし、また、図２（ロ−２）に示すように、給気の流れを囲むようにその外周側にマイナスイオンが供給されるようにするのもよい。
【００２１】
以上に、本発明の実施形態を示したが、本発明はこれに限られるものではなく、発明思想を逸脱しない範囲で、各種の変更が可能である。例えば、上記の実施形態では、特定構造の熱交換型換気ユニットを用いて構成した場合を示しているが、これに限らず、要は、屋内から屋外への排気と、屋外から屋内への給気とがファンの駆動によって行われるようになされた屋内強制換気システムであって、屋内から屋外に排出される空気と、屋外から屋内に供給される空気とを熱交換させる熱交換素子が備えられたものに広く適用することができるものである。また、レナード方式のマイナスイオン発生手段として、マイナスイオンと、ミスト等の加湿成分とを発生させることのできる各種形式のマイナスイオン発生手段が用いられてよい。
【００２２】
【発明の効果】
本発明は、以上のとおりのものであるから、屋内にマイナスイオンを供給し、しかも、冬期には屋内を効果的に加湿しながら換気することができる。
【図面の簡単な説明】
【図１】第１実施形態の強制換気システムの構成図である。
【図２】図（イ）は第１実施形態の強制換気システムの構成図、図（ロ−１）（ロ−２１）はそれぞれマイナスイオン発生装置のダクトと
【符号の説明】
２…マイナスイオン発生装置（発生手段）
３…熱交換素子
５…空気通路（給気通路）
１５…ダクト（給気通路）
１５ａ…分岐ダクト（給気通路）
１５ｂ…親ダクト（給気通路）
１９…屋内給気口
【図１】
2004116970.tif 000003
【図２】
2004116970.tif 000004